(57)【要約】【課題】フィルム保管とフィルムから焼付けた写真の内容確認を容易に行なうことが可能なフィルム収納ホルダー兼アルバムを提供する。【解決手段】フィルム収納ホルダー兼アルバム１０は、中央で２つ折りされて見開き可能なカバーシート１１と、カバーシート１１の一方側に設けられて、複数の画像が記録され、予め決められた長さに分断されたフィルム１２を収納するフィルム収納部１３と、カバーシート１１の内面側に設けられ、フィルム１２に記録されている各画像を連続した印画紙に順次焼付けして作成した連続写真群１４の一部を固定する写真固定部１５とを有し、連続写真群１４は、一方側から順次予め決められた数の写真毎に折り畳まれて、カバーシート１１の内側に収納される。【選択図】　　　　図１
2004017481.tif 000002
【特許請求の範囲】
【請求項１】
中央で２つ折りされて見開き可能なカバーシートと、
前記カバーシートの一方側に設けられて、複数の画像が記録され、予め決められた長さに分断されたフィルムを収納するフィルム収納部と、
前記カバーシートの内面側に設けられ、前記フィルムに記録されている各画像を連続した印画紙に順次焼付けして作成した連続写真群の一部を固定する写真固定部とを有し、前記連続写真群は、一方側から順次予め決められた数の写真毎に折り畳まれて、前記カバーシートの内側に収納されることを特徴とするフィルム収納ホルダー兼アルバム。
【請求項２】
請求項１記載のフィルム収納ホルダー兼アルバムにおいて、前記フィルム収納部は、前記カバーシートの一方側と前記連続写真群の一部によって袋状に構成されていることを特徴とするフィルム収納ホルダー兼アルバム。
【請求項３】
中央で２つ折りされて見開き可能なカバーシートと、
前記カバーシートの一方側に設けられて、複数の画像が記録され、予め決められた長さに分断されたフィルムを収納するフィルム収納部と、
前記カバーシートの内面側に設けられ、前記フィルムに記録されている各画像を連続した印画紙に順次焼付けして作成した連続写真群の一部を固定する写真固定部とを有し、しかも、前記フィルム収納部は、前記カバーシートの一方側と前記連続写真群の一部によって袋状に構成されていることを特徴とするフィルム収納ホルダー兼アルバム。
【請求項４】
請求項１〜３のいずれか１項に記載のフィルム収納ホルダー兼アルバムにおいて、前記連続写真群は、前記フィルムに記録された画像を１倍、又は１を超えて２倍以下に拡大して前記印画紙に焼付けたものであることを特徴とするフィルム収納ホルダー兼アルバム。
【請求項５】
請求項１〜４のいずれか１項に記載のフィルム収納ホルダー兼アルバムにおいて、前記カバーシートの他方側の縁には折り返し部が設けられ、前記連続写真群の他方側端部が該折り返し部に挿入可能となっていることを特徴とするフィルム収納ホルダー兼アルバム。
【請求項６】
請求項１〜５のいずれか１項に記載のフィルム収納ホルダー兼アルバムにおいて、前記印画紙の写真表示領域の外側には、前記連続写真群の各写真の情報を記入する情報記載欄が該各写真毎に設けられていることを特徴とするフィルム収納ホルダー兼アルバム。
【請求項７】
請求項１〜６のいずれか１項に記載のフィルム収納ホルダー兼アルバムにおいて、前記カバーシートの上下幅は、前記連続写真群の上下幅に対して１〜１．２倍の長さを有することを特徴とするフィルム収納ホルダー兼アルバム。
【請求項８】
請求項１〜７のいずれか１項に記載のフィルム収納ホルダー兼アルバムにおいて、前記フィルムはフィルムケースに入れられて前記フィルム収納部に納められることを特徴とするフィルム収納ホルダー兼アルバム。
【請求項９】
中央で２つ折りされて見開き可能な透明カバーシートと、
前記透明カバーシートの一方側に設けられ、前記中央側に備えられた第１の挿入口より複数の画像が記録され予め決められた長さに分断されたフィルムがフィルムケースに収納されて挿入される第１の収納部と、
前記透明カバーシートの他方側に設けられ、前記中央側に第２の挿入口が備えられた第２の収納部と、
中央で２つ折りされて前記第１及び第２の収納部に両側がそれぞれ挿入されて前記透明カバーシートと一体化される表紙部材と、
前記フィルムに記録されている各画像が連続した印画紙に順次焼付けされ一方側から順次予め決められた数の写真毎に折り畳まれて、前記第１及び第２の収納部にその両側がそれぞれ挿入されて前記透明カバーシートと一体化される連続写真群とを有し、前記第１の収納部では前記透明カバーシートの内側から前記表紙部材、前記フィルム、前記連続写真群の順で積層が行なわれ、前記第２の収納部では前記透明カバーシートの内側から前記表紙部材、前記連続写真群の順で積層が行なわれていることを特徴とするフィルム収納ホルダー兼アルバム。
【請求項１０】
請求項９記載のフィルム収納ホルダー兼アルバムにおいて、前記表紙部材の両側を前記第１及び第２の収納部にそれぞれ挿入した際に、前記透明カバーシートの表側から透けて見える前記表紙部材の表側には、写真撮影に関連した事項を記入する事項記入欄及び前記フィルムから作成したインデックスプリントシートを貼付する貼付欄が設けられていることを特徴とするフィルム収納ホルダー兼アルバム。
【発明の詳細な説明】
【０００１】
【発明の属する技術分野】
本発明は、フィルム保管とフィルムから焼付けた写真の内容確認が容易なフィルム収納ホルダー兼アルバムに関する。
【０００２】
【従来の技術】
従来、ＤＰＥ取扱店にフィルムの現像と同時焼付けを依頼すると、顧客には焼付けた写真と共に現像済みのフィルム、例えば、ネガフィルムが渡される。このとき、フィルムは、例えば、６コマ毎に分断されて、各々が透明又は半透明のフィルムケースに挿入されて返却されるので、写真の焼増しを依頼する場合は、その写真に対応した画像が記録されているコマをフィルムから探し出して、そのコマについているコマ番号を求め、コマ番号で焼増しするフィルムの画像を指定していた。
しかし、フィルムから焼増しのためのコマ番号の確認を行なう場合、ネガフィルムの場合では、画像と写真は反転された関係にあるので画像の確認が難しく、更にカラー写真の場合は色調の確認が非常に困難となっていた。このため、１本のフィルムに記録された画像を縮小して１枚の印画紙に撮影順に焼付けたインデックスプリントシートを作成し、顧客には焼付けた写真、現像済のフィルムと共にこのインデックスプリントシートを渡していた。そこで、顧客は、写真の焼増しを依頼する場合は、このインデックスプリントシートで焼増しする画像が記録されているコマ番号を確認していた。
【０００３】
【発明が解決しようとする課題】
このように、インデックスプリントシートは、フィルムに記録されている全ての画像の写真を一目で確認するには優れたものとなっているが、縮小されて焼付けられているため、写真の細部にわたる状態が確認しにくいという問題がある。また、インデックスプリントシートとフィルムを一体的に保管しておかなければ、インデックスプリントシートの効用は発揮されない。そのため、顧客には、インデックスプリントシートとフィルムを一体的に保管させるという負担を新たに強いる結果となっていた。
本発明はかかる事情に鑑みてなされたもので、フィルム保管とフィルムから焼付けた写真の内容確認を容易に行なうことが可能なフィルム収納ホルダー兼アルバムを提供することを目的とする。
【０００４】
【課題を解決するための手段】
前記目的に沿う第１の発明に係るフィルム収納ホルダー兼アルバムは、中央で２つ折りされて見開き可能なカバーシートと、前記カバーシートの一方側に設けられて、複数の画像が記録され、予め決められた長さに分断されたフィルムを収納するフィルム収納部と、前記カバーシートの内面側に設けられ、前記フィルムに記録されている各画像を連続した印画紙に順次焼付けして作成した連続写真群の一部を固定する写真固定部とを有し、前記連続写真群は、一方側から順次予め決められた数の写真毎に折り畳まれて、前記カバーシートの内側に収納される。
【０００５】
フィルムに記録されている各画像を連続した印画紙に順次焼付けして連続写真群を作成するので、縮小せずに写真を焼付けすることができ、写真の細部にわたる状況を容易に視認することができる。この連続写真群は、その一部がカバーシートの内面側に設けらた写真固定部に固定され、一方側から順次予め決められた数の写真がひと並びの状態で視認できるように折り畳まれて、カバーシートの内側に収納されるので、折り畳まれた連続写真群を広げて伸ばすことにより、撮影した順番に写真の内容を順次確認することができる。また、写真の確認を行なわない場合は、折り畳んでカバーシートの内側に収納することができるので、保管に場所をとらず、しかも、保管中に連続写真群の破損を防止できる。更に、カバーシートの一方側にフィルム収納部が設けられているので、フィルム収納部にフィルムを入れることにより、フィルムと連続写真群の一体的な保管を容易に行なうことができる。
【０００６】
第１の発明に係るフィルム収納ホルダー兼アルバムにおいて、前記フィルム収納部は、前記カバーシートの一方側と前記連続写真群の一部によって袋状に構成されていることが好ましい。
フィルム収納部をカバーシートの一方側と連続写真群の一部によって袋状に構成するので、簡便な方法で、しかも、コンパクトなフィルム収納部を構成することができる。その結果、フィルムと連続写真群の一体的保管をより容易に行なうことができる。
【０００７】
前記目的に沿う第２の発明に係るフィルム収納ホルダー兼アルバムは、中央で２つ折りされて見開き可能なカバーシートと、前記カバーシートの一方側に設けられて、複数の画像が記録され、予め決められた長さに分断されたフィルムを収納するフィルム収納部と、前記カバーシートの内面側に設けられ、前記フィルムに記録されている各画像を連続した印画紙に順次焼付けして作成した連続写真群の一部を固定する写真固定部とを有し、しかも、前記フィルム収納部は、前記カバーシートの一方側と前記連続写真群の一部によって袋状に構成されている。
【０００８】
フィルムに記録されている各画像を連続した印画紙に順次焼付けして連続写真群を作成するので、縮小せずに写真を焼付けすることができ、写真の細部にわたる状況を容易に視認することができる。フィルム収納部をカバーシートの一方側と連続写真群の一部によって袋状に構成するので、簡便な方法で、しかもコンパクトなフィルム収納部を構成することができると共に、フィルムと連続写真群の一体的な保管を容易に行なうことができる。また、連続写真群の一部をカバーシートの内面側に設けられた写真固定部に固定することにより、カバーシートで連続写真群を保護して保管することができるようになる。
【０００９】
第１、第２の発明に係るフィルム収納ホルダー兼アルバムにおいて、前記連続写真群は、前記フィルムに記録された画像を１倍、又は１を超えて２倍以下に拡大して前記印画紙に焼付けたものであることが好ましい。
フィルムに記録された画像を１倍、又は１を超えて２倍以下に、好ましくは、１．５〜１．８倍に拡大して印画紙に焼付けるので、写真の細部にわたる状況の視認が容易となる。なお、印画紙に焼付ける写真の倍率が１未満である場合は、細部の状態の視認が困難となって好ましくない。また、２倍を超えて焼付けを行なうと、連続写真群の上下幅と長さが共に大きくなって、保管に支障を来すようになると共に、連続写真群の作成経費も高くなって好ましくない。
【００１０】
第１、第２の発明に係るフィルム収納ホルダー兼アルバムにおいて、前記カバーシートの他方側の縁には折り返し部が設けられ、前記連続写真群の他方側端部が該折り返し部に挿入可能となっていることが好ましい。
連続写真群の端部を折り返し部に挿入することにより、簡便に連続写真群の端部の自由度を制約することができ、カバーシートと連続写真群の一体性を向上させることができる。
【００１１】
第１、第２の発明に係るフィルム収納ホルダー兼アルバムにおいて、前記印画紙の写真表示領域の外側には、前記連続写真群の各写真の情報を記入する情報記載欄が該各写真毎に設けられていることが好ましい。
情報記載欄に必要事項を記入することにより、顧客側から業者に対して、写真の焼増し依頼の仕様や質問を確実に伝えることができ、ＤＰＥ取扱店や現像焼付け工場側から顧客に対して、焼増し作業結果や質問に対する回答を確実に行なうことができる。
【００１２】
第１、第２の発明に係るフィルム収納ホルダー兼アルバムにおいて、前記カバーシートの上下幅は、前記連続写真群の上下幅に対して１〜１．２倍の長さを有することが好ましい。
カバーシートの上下幅が連続写真群の上下幅に対して１倍未満の場合、折り畳んでカバーシートの内側に収納した際に、連続写真群の上下方向の両端側がカバーシートより突出する。このため、保管中に連続写真群が汚れたり破損したりし易くなる。また、カバーシートの上下幅が連続写真群の上下幅に対して１．２倍を超えた場合、連続写真の上下幅に対してカバーシートの上下幅が不必要に大きくなって、保管がしにくくなると共に、保管に広いスペースが必要となって好ましくない。このため、カバーシートの上下幅は、連続写真群の上下幅に対して１〜１．２倍の長さとした。
【００１３】
第１、第２の発明に係るフィルム収納ホルダー兼アルバムにおいて、前記フィルムはフィルムケースに入れられて前記フィルム収納部に納められることが好ましい。
フィルムが入った状態のフィルムケースごとフィルム収納部に収納することを可能にすることにより、顧客側では、ＤＰＥ取扱店から返却されたフィルムに疵を付けずに保管を行なうことができ、ＤＰＥ取扱店側では、フィルムの取り扱いをフィルムケースごと行なうことができるので、効率的に作業を行なうことができる。
【００１４】
前記目的に沿う第３の発明に係るフィルム収納ホルダー兼アルバムは、中央で２つ折りされて見開き可能な透明カバーシートと、前記透明カバーシートの一方側に設けられ、前記中央側に備えられた第１の挿入口より複数の画像が記録され予め決められた長さに分断されたフィルムがフィルムケースに収納されて挿入される第１の収納部と、前記透明カバーシートの他方側に設けられ、前記中央側に第２の挿入口が備えられた第２の収納部と、中央で２つ折りされて前記第１及び第２の収納部に両側がそれぞれ挿入されて前記透明カバーシートと一体化される表紙部材と、前記フィルムに記録されている各画像が連続した印画紙に順次焼付けされ一方側から順次予め決められた数の写真毎に折り畳まれて、前記第１及び第２の収納部にその両側がそれぞれ挿入されて前記透明カバーシートと一体化される連続写真群とを有し、前記第１の収納部では前記透明カバーシートの内側から前記表紙部材、前記フィルム、前記連続写真群の順で積層が行なわれ、前記第２の収納部では前記透明カバーシートの内側から前記表紙部材、前記連続写真群の順で積層が行なわれている。
【００１５】
第１の収納部には、透明カバーシートの内側から表紙部材の一方側、フィルムが収納されたフィルムケース、連続写真群の一方側の順に積層されるように挿入し、第２の収納部には、透明カバーシートの内側から表紙部材の他方側、連続写真群の他方側の順に積層されるように挿入することにより、透明カバーシート、表紙部材、フィルムケース、及び連続写真群を簡易に一体化することができる。また、表紙部材でフィルムケース及び連続写真群の裏面側が覆われて見えなくなるので、見栄えのよいフィルム収納ホルダー兼アルバムを容易に作製することができる。更に、透明カバーシートを使用することにより、色、模様、質調等が異なる各種表紙部材を準備しておけば、容易にフィルム収納ホルダー兼アルバムの装丁を変更することができる。
【００１６】
第３の発明に係るフィルム収納ホルダー兼アルバムにおいて、前記表紙部材の両側を前記第１及び第２の収納部にそれぞれ挿入した際に、前記透明カバーシートの表側から透けて見える前記表紙部材の表側には、写真撮影に関連した事項を記入する事項記入欄及び前記フィルムから作成したインデックスプリントシートを貼付する貼付欄が設けられていることが好ましい。
表紙部材の表側に事項記入欄及びインデックスプリントシートを貼付する貼付欄を設けることにより、どのような内容の写真とフィルムが収納されているかが容易に把握できるようになる。
【００１７】
【発明の実施の形態】
続いて、添付した図面を参照しつつ、本発明を具体化した実施の形態につき説明し、本発明の理解に供する。
ここに、図１は本発明の第１の実施の形態に係るフィルム収納ホルダー兼アルバムを示す斜視図、図２（Ａ）、（Ｂ）はそれぞれカバーシートの構成を示す展開図、連続写真群の一方側を示す説明図、図３は本発明の第２の実施の形態に係るフィルム収納ホルダー兼アルバムを示す斜視図、図４は本発明の第３の実施の形態に係るフィルム収納ホルダー兼アルバムを説明する斜視図、図５は同フィルム収納ホルダー兼アルバムの第１及び第２の収納部における収納状態を示す斜視図である。
図１に示すように、本発明の第１の実施の形態に係るフィルム収納ホルダー兼アルバム１０は、中央で２つ折りされて見開き可能なカバーシート１１と、カバーシート１１の一方側に設けられ予め決められた長さに分断されたフィルム１２を収納するフィルム収納部１３と、カバーシート１１の内面側に設けられ、フィルム１２に記録されている各画像を連続した印画紙に順次焼付けして作成した連続写真群１４の一部を固定する写真固定部１５とを有している。以下、これらについて詳細に説明する。
【００１８】
カバーシート１１は、例えば、厚手の紙で形成され、図２（Ａ）に示すように、中央に設けられた谷折り線１６を境にして、一方側に設けられた台紙部１７と、他方側に設けられた覆い部１８を有している。ここで、カバーシート１１の上下幅は、連続写真群１４の上下幅Ｗに対して１〜１．２倍の長さを有する。
台紙部１７は、台紙部本体１９を有し、台紙部本体１９の上下の端部の一部にそれぞれ写真固定部１５が設けられており、台紙部本体１９と写真固定部１５の境界に設けられた谷折り線２０で写真固定部１５を台紙本体１９の内側に折り込むことにより、この写真固定部１５を介して台紙部本体１９に連続写真群１４の一部を固定することができる。
谷折り線１６を境にして他方側に設けられた覆い部１８は、覆い部本体２１と、覆い部本体２１の端側の上下の端部にそれぞれ設けられた第１の折り返し片２２と、第２の折り返し固定片２３を有している。そして、覆い部本体２１と第１の折り返し片２２の境界に設けられた谷折り線２４で第１の折り返し片２２を覆い部本体２１の内側に折り返し、同時に覆い部本体２１と第２の折り返し固定片２３の境界に設けられた谷折り線２５で第２の折り返し固定片２３を覆い部本体２１の内側に折り返して、第１の折り返し片２２と第２の折り返し固定片２３の重なり部分でお互いを接合することにより、覆い部１８の縁に折り返し部２６を構成することができる。
【００１９】
図２（Ｂ）に示すように、連続写真群１４は、フィルム１２に記録されている各画像を、連続した１本の印画紙に撮影順に順次焼付けして作成したものである。ここで、焼付けは、フィルム１２に記録された画像を１倍、又は１を超えて２倍以下に、好ましくは１．５〜１．８倍に拡大して行なう。そのため、印画紙の上下幅、すなわち、連続写真群１４の上下幅Ｗは、例えば、写真表示領域２７の下側の領域に、写真表示領域２７に形成した各写真の情報を記入する情報記載欄２８を形成することが可能なように設定する。また、連続写真群１４は、一方側から順次予め決められた数の写真がひと並びの状態で含まれるように、折り返し線２９で順次折り畳まれており、折り畳んだ際の長さＳと、台紙部１７（覆い部１８）の長さＬとは、例えば、Ｌ＝１．１Ｓ〜１．２Ｓとなるようにする。そして、一方側から長さＳの間隔で折り畳んだ連続写真群１４の最初の折り畳み部３０の裏面側を、谷折り線１６と折り返し線２９が実質的に重なるように位置合せして、谷折り線２０で台紙本体１９の内側に折り込まれた写真固定部１５に固定（例えば、接着剤で接合）する。このように固定することにより、台紙本体部１９と連続写真群１４の最初の折り畳み部３０とによって、袋状のフィルム収納部１３を形成することができる。
【００２０】
以上のような構成とすることにより、一方側から順次ジグザグ状に（折り返し線２９で谷と山が交互に折られるように）折り畳んだ連続写真群１４と、カバーシート１１を一体化させて、カバーシート１１の内側に、折り畳んだ連続写真群１４を収納することができる。このとき、折り畳んだ連続写真群１４の１片の大きさは、カバーシート１１の中央に設けられた谷折り線１６で見開き状に２つ折りして形成された台紙部１７（覆い部１８）の大きさよりも小さいので、折り畳んだ連続写真群１４はカバーシート１１内に完全に収納された状態となる。そのため、折り畳んだ連続写真群１４をカバーシート１１で保護することができる。更に、覆い部１８の縁には折り返し部２６が設けられているので、折り畳んだ連続写真群１４の最後の折り畳み部３１の端部側をこの折り返し部２６に挿入することにより、連続写真群１４の他端側をカバーシート１１に一時的に固定することができる。これによって、連続写真群１４とカバーシート１１との一体性を更に増すことができ、カバーシート１１を介しての連続写真群１４の取り扱いが容易となる。
【００２１】
印画紙の写真表示領域２７には、フィルム１２に記録された画像と等倍、又は１を超えて２倍以下に拡大された写真が焼付けられており、更に写真表示領域２７の下側の領域には情報記載欄２８が設けられているので、台紙本体部１９と連続写真群１４の最初の折り畳み部３０とによって袋状に構成されたフィルム収納部１３の上下幅は、フィルム１２の上下幅に比較して十分大きくなっている。このため、フィルム１２を収納したフィルムケース３２を、上下幅が適当な長さとなるように折り畳んでフィルム収納部１３に納めることができる。その結果、フィルム１２に疵を付けないで保管や取り扱いを容易に行なうことができる。
【００２２】
次に、本発明の一実施の形態に係るフィルム収納ホルダー兼アルバム１０の使用方法について詳細に説明する。
現像焼付け工場では、予めカバーシート１１の中央に設けられた谷折り線１６でカバーシート１１を見開き状に２つ折りし、台紙部１７ではカバーシート１１の一方側の上下の端部にそれぞれ設けられた写真固定部１５を谷折り線２０で折り返すと共に、覆い部１８ではカバーシート１１の他方側の端側に形成された第１の折り返し片２２と第２の折り返し固定片２３をそれぞれ谷折り線２４、２５で折り返して接合し折り返し部２６を形成しておく。
【００２３】
現像焼付け工場では、ＤＰＥ取扱店を経由して顧客から受け取った現像及び同時焼付け依頼のフィルム１２の現像を先ず行なう。現像が完了したフィルム１２は分断せずに、連続した印画紙（予め、連続写真群１４の上下幅の大きさに調整されている）に、撮影順に順次１．５〜１．８倍に拡大して焼付けて連続写真群１４を作成する。このとき、印画紙の写真表示領域２７にはフィルム１２に記録された画像が写真として形成され、写真表示領域２７の下側には、予め決められた形式で写真の焼増し依頼の仕様や質問事項を記載するための情報記載欄２８が、例えば、同時焼付けで形成される。作成された連続写真群１４は、一方側から順次予め決められた数（例えば、４枚）の写真がひと並びとなるように折り返し線２９で折り畳まれる。一方、フィルム１２は、予め決められた長さ（例えば、６個のコマ数毎）に分断する。
【００２４】
折り畳まれた連続写真群１４の一方側の最初の折り畳み部３０を、予め形成しておいた台紙部１７の写真固定部１５に、例えば、接着剤で接合する。これによって、台紙部本体１９と最初の折り畳み部３０とによって、袋状のフィルム収納部１３が形成される。また、折り畳んだ連続写真群１４の他端側の端側を覆い部１８に設けられた折り返し部２６に挿入する。これによって、フィルム収納ホルダー兼アルバム１０が完成する。そして、分断されたフィルム１２をフィルムケース３２内に収納し、フィルム１２を収納したフィルムケース３２を適当な幅となるように折り畳んでフィルム収納部１３内に納める。
従って、顧客には、焼付けした写真と共に、フィルム１２を収納したフィルム収納ホルダー兼アルバム１０を渡す。
【００２５】
フィルム１２を収納したフィルム収納ホルダー兼アルバム１０と焼付けした写真を受け取った顧客は、撮影した結果を焼付けした写真から判断する。ここで、写真の焼増しの必要が生じた場合、フィルム収納ホルダー兼アルバム１０の折り返し部２６に挿入されている連続写真群１４の他端側の端部を抜き出して、折り畳まれている連続写真群１４を順次広げて伸ばす。そして、焼増しの必要な焼付け写真と同一の構図の写真が存在している写真表示領域２７の位置を広げた連続写真群１４の中から探し出す。写真表示領域２７の位置が特定されると、特定された写真表示領域２７の下側に設けられている情報記載欄２８に必要事項、例えば、焼増しの写真のサイズ、枚数、色調等を記載して、連続写真群１４を再び折り畳んでカバーシート１１内に収納し、フィルム１２を収納しているフィルムケース３２がフィルム収納部１３に納められていることを確認して、フィルム収納ホルダー兼アルバム１０をＤＰＥ取扱店に渡して写真の焼増しを依頼する。
【００２６】
現像焼付け工場は、ＤＰＥ取扱店経由で送付されたフィルム収納ホルダー兼アルバム１０の連続写真群１４の情報記載欄２８から焼増し情報を確認して、フィルム収納部１３に収納されているフィルム１２から該当するコマ番号を探し出して焼増し作業を行なう。焼増し作業が完了すると、使用したフィルム１２はフィルムケース３２に収納し、フィルムケース３２はフィルム収納ホルダー兼アルバム１０のフィルム収納部１３に再び戻される。そして、フィルム収納ホルダー兼アルバム１０は焼増し写真と共に、ＤＰＥ取扱店を経由して顧客に返却される。
【００２７】
図３に示すように、本発明の第２の実施の形態に係るフィルム収納ホルダー兼アルバム３３は、第１の実施の形態に係るフィルム収納ホルダー兼アルバム１０と比較して、連続写真群３４を一方側から順次予め決められた数の写真毎に折り畳む際の折り畳み方法が、異なっていることが特徴となっている。このため、連続写真群３４の折り畳み方法についてのみ説明し、フィルム収納ホルダー兼アルバム１０と実質的に同一の構成要素には同一の符号を記して、詳細な説明は省略する。
フィルム収納ホルダー兼アルバム３３における連続写真群３４では、連続写真群３４の一方側で主に形成される最初の折り畳み部３５と他方側で主に形成される最後の折り畳み部３６以外の各折り畳み部３７は、連続した折り畳み部３７の裏面側（印画紙で写真表示領域２７が形成されていない側）同士が、例えば接着剤で接合されている。そして、最初の折り畳み部３５の裏面側は、台紙本体１９の内側に折り込まれた写真固定部１５に、カバーシート１１の谷折り線１６と連続写真群３４の各折り返し線３８とを実質的に一致するように位置合せして固定（例えば、接着剤で接合）されている。また、最後の折り畳み部３６の端側は折り返し部２６に挿入されている。
【００２８】
このような構成とすることにより、連続写真群３４を折り畳んだ状態で各写真表示領域２７に焼き付けられた各写真を、例えば、本のページを順次めくるのと同様の操作で、撮影された順番に逐次見ていくことができる。その結果、広いスペースを必要としないで、連続写真群３４の内容を把握することができる。
また、本発明の一実施の形態に係るフィルム収納ホルダー兼アルバム３３の使用方法は、前述したように連続写真群３４の内容の把握方法が本のページをめくるように行うという点で異なるだけで、他はフィルム収納ホルダー兼アルバム１０と実質的に同一であるので詳しい説明は省略する。
【００２９】
図４に示すように、本発明の第３の実施の形態に係るフィルム収納ホルダー兼アルバム３９は、中央で２つ折りされて見開き可能な透明カバーシート４０と、透明カバーシート４０の一方側に設けられ、中央側に備えられた挿入口（第１の挿入口）４１より、複数の画像が記録され予め決められた長さに分断されたフィルム４２がフィルムケース４３に収納されて挿入される第１の収納部４４と、透明カバーシート４０の他方側に設けられ、中央側に挿入口（第２の挿入口）４５が備えられた第２の収納部４６と、中央で２つ折りされて第１及び第２の収納部４４、４６に両側がそれぞれ挿入されて透明カバーシート４０と一体化される表紙部材４７と、フィルム４２に記録されている各画像が連続した印画紙に順次焼付けされ一方側から順次予め決められた数の写真毎に折り畳まれて、第１及び第２の収納部４４、４６にその両側がそれぞれ挿入されて透明カバーシート４０と一体化される連続写真群４８とを有している。以下、これらについて詳細に説明する。
【００３０】
透明カバーシート４０は、例えば、厚手のビニールフィルムで形成され、中央に設けられた谷折り線４９を境にして２つ折りされて覆い部を形成するカバーシート本体５０を有しており、カバーシート本体５０の両側の内側にはそれぞれ第１及び第２の収納部４４、４６が設けられている。ここで、第１及び第２の収納部４４、４６は、例えば、カバーシート本体５０の両側に設けられた折り返し部５１、５２の上下端部をカバーシート本体５０に接合して袋状に構成されている。ここで、透明カバーシート４０の上下幅は連続写真群４８の上下幅に対して１〜１．２倍の長さを有する。
表紙部材４７は、例えば厚手の紙で作製することができ、中央に設けられた谷折り線５３を境にして２つ折りされる。そして、表紙部材３７の両側を第１及び第２の収納部４４、４６にそれぞれ挿入した際に、透明カバーシート４０の表側（外側）から透けて見える表紙部材４７の表側（外側）の一方側（谷折り線５３で２つ折りした際の左右いずれかの側）には、写真撮影に関連した事項を記入する事項記入欄５４及びフィルム４２から作成するインデックスプリントシートを貼付する貼付欄５５が印刷されている。また、表紙部材４７の長さは、透明カバーシート４０の長さの０．８〜１倍の長さを有し、上下幅は連続写真群４８の上下幅に対して１〜１．２倍の長さを有する。ここで、事項記入欄５４には、例えば撮影年月日、天候、タイトル、撮影場所、メモ等の記入欄を設けることができる。更に、赤ちゃんの誕生、結婚式、旅行、お宮参り、七五三、運動会、各種行事の記録等の写真撮影の目的別に事項記入欄５４の様式を変えることが好ましい。このようにすることにより、連続写真群４８の内容に応じて最適な表紙を提供することができる。
なお、連続写真群４８は、第１の実施の形態で説明した連続写真群１４と同一の構成とすることができるので、詳細な説明は省略する。
【００３１】
フィルム収納ホルダー兼アルバム３９は、図５に示すように、事項記入欄５４、貼付欄５５が印刷された表紙部材４７の表側が透明カバーシート４０のカバーシート本体５０の内側面に接触するように、表紙部材４７の両側が第１及び第２の収納部４４、４６にそれぞれ挿入されている。そして、フィルム４２が収納されたフィルムケース４３が表紙部材４７の上に乗るように第１の収納部４４に挿入されている。これにより、透明カバーシート４０、表紙部材４７、及びフィルムケース４３を一体化することができる。更に、折り畳んだ連続写真群４８の一方側がフィルムケース４３の上に乗るように第１の収納部４４に挿入され、連続写真群４８の他方側が表紙部材４７の上に乗るように第２の収納部４６に挿入されている。これにより、透明カバーシート４０、表紙部材４７、フィルムケース４３、及び連続写真群４８を一体化することができる。すなわち、第１の収納部４４では、透明カバーシート４０の内側から表紙部材４７、フィルム４２を入れたフィルムケース４３、連続写真群４８の順で積層が行なわれ、第２の収納部４６では、透明カバーシート４０の内側から表紙部材４７、連続写真群４８の順で積層が行なわれることになる。
【００３２】
このとき、折り畳んだ連続写真群４８の１片の大きさは、谷折り線４９で２つ折りされたカバーシート本体５０の片側の大きさよりも小さいので、折り畳んだ連続写真群４８は透明カバーシート４０内に完全に収納された状態となる。そのため、連続写真群４８を透明カバーシート４０で保護することができる。更に、連続写真群４８と透明カバーシート４０の間には表紙部材４７が挿入されているため、連続写真群４８の裏面側が表紙部材４７で覆われるため、見栄えが良くなる。更に、透明カバーシート４０を透して、事項記入欄５４に記入された写真撮影に関連した事項及び貼付欄５５に貼られたインデックスプリントシートを見ることができる。
【００３３】
次に、本発明の一実施の形態に係るフィルム収納ホルダー兼アルバム３９の使用方法について詳細に説明する。
ＤＰＥ取扱店では、透明カバーシート４０と、色、柄、質調の異なった厚紙に貼付欄５５及び各種様式の事項記入欄５４が印刷された各種表紙部材４７を予め準備しておく。
現像焼付け工場では、ＤＰＥ取扱店を経由して顧客から受け取った現像及び同時焼付け依頼のフィルム４２の現像を先ず行なう。現像が完了したフィルム４２は分断せずに、連続した印画紙（予め、連続写真群４８の上下幅の大きさに調整されている）に、撮影順に順次１．５〜１．８倍に拡大して焼付けて連続写真群４８、及びインデックスプリントシートを作成する。作成された連続写真群４８は、一方側から順次予め決められた数（例えば、４枚）の写真がひと並びとなるように折り畳まれる。一方、フィルム４２は、予め決められた長さ（例えば、６個のコマ数毎）に分断してフィルムケース４３に収納する。そして、現像焼付け工場は、連続写真群４８、インデックスプリントシート、及びフィルム４２が収納されたフィルムケース４３を一組として、ＤＰＥ取扱店に送り返す。
【００３４】
ＤＰＥ取扱店では、来店した顧客に写真の内容に応じて好みの色、柄、質調の表紙部材４７を選択してもらう。そして、ＤＰＥ取扱店は、連続写真群４８、インデックスプリントシート、及びフィルム４２が収納されたフィルムケース４３と共に、選択された表紙部材４７及び透明カバーシート４０を顧客に引き渡す。顧客は、表紙部材４７の事項記入欄５４に必要事項を記入し、貼付欄５５にインデックスプリントシートを貼付して、透明カバーシート４０の両側に設けられた第１及び第２の収納部４４、４６に表紙部材４７の両側を挿入する。次いで、フィルム４２が収納されたフィルムケース４３を表紙部材４７の上に乗るように第１の収納部４４に挿入し、更に、連続写真群４８の一方側がフィルムケース４３の上に乗るように第１の収納部４４に挿入し、他方側が表紙部材４７の上に乗るように第２の収納部４５に挿入する。なお、ＤＰＥ取扱店が顧客から予め好みの表紙部材４７の指定を受けている場合は、表紙部材４７の貼付欄５５にインデックスプリントシートを貼付し、透明カバーシート４０、表紙部材４７、フィルム４２が収納されたフィルムケース４３、及び連続写真群４８を一体化して、顧客に引き渡すこともできる。また、顧客が、写真の焼増しを行なう場合は、第１の実施の形態の場合と同様に行なうことができるので、説明は省略する。
【００３５】
以上、本発明の実施の形態を説明したが、本発明は、この実施の形態に限定されるものではなく、発明の要旨を変更しない範囲での変更は可能であり、前記したそれぞれの実施の形態や変形例の一部又は全部を組み合わせて本発明のフィルム収納ホルダー兼アルバムを構成する場合にも本発明は適用される。例えば、第１及び第２の実施の形態で、折り返し部を覆い部本体の端側の上下の端部にそれぞれ設けた第１の折り返し片及び第２の折り返し固定片で形成したが、覆い部本体の長さを折り返し部に相当する分だけ長くして、この部分を内側に折り返すことにより形成するようにしてもよい。また、情報記載欄を写真表示領域の下側に設けたが、上側に設けることも、左右のいずれかの側に設けるようにしてもよい。更に、第３の実施の形態で、中央で２つ折りされた表紙部材の一方側に事項記入欄と貼付欄を設けたが、事項記入欄と貼付欄を一方側と他方側にそれぞれ分けて設けるようにしてもよい。また、事項記入欄を表紙部材の表側に印刷したが、事項記入欄を印刷したシートを所定位置に貼付してもよいし、透明カバーシートを透かして外側から事項記入欄を印刷したシートが見えるように、シートを第１又は第２の収納部内に表紙部材の外側位置となるように挿入してもよい。
【００３６】
【発明の効果】
請求項１及びこれに従属する請求項２、４〜８記載のフィルム収納ホルダー兼アルバムにおいては、中央で２つ折りされて見開き可能なカバーシートと、カバーシートの一方側に設けられて、複数の画像が記録され、予め決められた長さに分断されたフィルムを収納するフィルム収納部と、カバーシートの内面側に設けられ、フィルムに記録されている各画像を連続した印画紙に順次焼付けして作成した連続写真群の一部を固定する写真固定部とを有し、連続写真群は、一方側から順次予め決められた数の写真毎に折り畳まれて、カバーシートの内側に収納されるので、顧客はフィルム保管とフィルムから焼付けた写真の内容確認を容易に行なうことが可能となる。また、フィルムに記録された画像内容を確認するために作成されたインデックスプリントシートとフィルムの一体的保管の負担から解放されることが可能となる。
【００３７】
特に、請求項２記載のフィルム収納ホルダー兼アルバムにおいては、フィルム収納部は、カバーシートの一方側と連続写真群の一部によって袋状に構成されているので、簡便な方法でフィルム収納部を構成することができ、製作経費を軽減することが可能となる。
【００３８】
請求項３及びこれに従属する請求項４〜８記載のフィルム収納ホルダー兼アルバムにおいては、中央で２つ折りされて見開き可能なカバーシートと、カバーシートの一方側に設けられて、複数の画像が記録され、予め決められた長さに分断されたフィルムを収納するフィルム収納部と、カバーシートの内面側に設けられ、フィルムに記録されている各画像を連続した印画紙に順次焼付けして作成した連続写真群の一部を固定する写真固定部とを有し、しかも、フィルム収納部は、カバーシートの一方側と連続写真群の一部によって袋状に構成されているので、顧客はフィルム保管とフィルムから焼付けた写真の内容確認を容易に行なうことが可能となる。また、フィルムに記録された画像内容を確認するために作成されたインデックスプリントシートとフィルムの一体的保管の負担から解放されることが可能となる。更に、簡便な方法でフィルム収納部を構成することができるので、フィルム収納ホルダー兼アルバムの製作経費を軽減することが可能となる。
【００３９】
特に、請求項４記載のフィルム収納ホルダー兼アルバムにおいては、連続写真群は、フィルムに記録された画像を１倍、又は１を超えて２倍以下に拡大して印画紙に焼付けたものであるので、各連続写真群の細部にわたる状態を容易に視認することが可能となる。
【００４０】
請求項５記載のフィルム収納ホルダー兼アルバムにおいて、カバーシートの他方側の縁には折り返し部が設けられ、連続写真群の他方側端部が折り返し部に挿入可能となっているので、端部の自由度を確保して連続写真群の固定を簡便に行なうことができ、連続写真群の内容確認作業や収納作業を容易に行なうことが可能となる。
【００４１】
請求項６記載のフィルム収納ホルダー兼アルバムにおいては、印画紙の写真表示領域の外側には、各写真の情報を記入する情報記載欄が各写真毎に設けられているので、顧客側からは写真の焼増し依頼の仕様や質問を確実に伝えることができ、ＤＰＥ取扱店や現像焼付け工場側からは顧客に対して作業結果や質問に対する回答を記載することができ、付加価値の高い業務の依頼とその対応が可能となって、業務の差別化を図ることができる。
【００４２】
請求項７記載のフィルム収納ホルダー兼アルバムにおいては、カバーシートの上下幅は、連続写真群の上下幅に対して１〜１．２倍の長さを有するので、省スペースで連続写真の保管を行なうことが可能になると共に、より経済的にカバーシートを作成することが可能となる。
【００４３】
請求項８記載のフィルム収納ホルダー兼アルバムにおいては、フィルムはフィルムケースに入れられてフィルム収納部に納められるので、フィルムの授受の簡便性と、フィルム保管の容易性を確保することが可能となる。
【００４４】
請求項９及び１０記載のフィルム収納ホルダー兼アルバムにおいては、中央で２つ折りされて見開き可能な透明カバーシートと、透明カバーシートの一方側に設けられ、中央側に備えられた第１の挿入口より複数の画像が記録され予め決められた長さに分断されたフィルムがフィルムケースに収納されて挿入される第１の収納部と、透明カバーシートの他方側に設けられ、中央側に第２の挿入口が備えられた第２の収納部と、中央で２つ折りされて第１及び第２の収納部に両側がそれぞれ挿入されて透明カバーシートと一体化される表紙部材と、フィルムに記録されている各画像が連続した印画紙に順次焼付けされ一方側から順次予め決められた数の写真毎に折り畳まれて、第１及び第２の収納部にその両側がそれぞれ挿入されて透明カバーシートと一体化される連続写真群とを有し、第１の収納部では透明カバーシートの内側から表紙部材、フィルム、連続写真群の順で積層が行なわれ、第２の収納部では透明カバーシートの内側から表紙部材、連続写真群の順で積層が行なわれているので、フィルム収納ホルダー兼アルバムを簡単な作業で作成することができ、顧客はフィルム保管とフィルムから焼付けた写真の内容確認を容易に行なうことが可能となる。また、フィルムに記録された画像内容を確認するために作成されたインデックスプリントシートとフィルムの一体的保管の負担から解放されることが可能となる。更に、顧客は目的、嗜好に応じて最適な表紙を有するフィルム収納ホルダー兼アルバムを得ることができ、容易に変更することも可能となる。
【００４５】
特に、請求項１０記載のフィルム収納ホルダー兼アルバムにおいては、表紙部材の両側を第１及び第２の収納部にそれぞれ挿入した際に、透明カバーシートの表側から透けて見える表紙部材の表側には、写真撮影に関連した事項を記入する事項記入欄及びフィルムから作成したインデックスプリントシートを貼付する貼付欄が設けられているので、どのような内容の写真とフィルムが収納されているかが容易に把握でき、フィルム及びアルバムの同時管理が容易になると共に、利便性を向上させることが可能となる。
【図面の簡単な説明】
【図１】本発明の第１の実施の形態に係るフィルム収納ホルダー兼アルバムを示す斜視図である。
【図２】（Ａ）、（Ｂ）はそれぞれカバーシートの構成を示す展開図、連続写真群の一方側を示す説明図である。
【図３】本発明の第２の実施の形態に係るフィルム収納ホルダー兼アルバムを示す斜視図である。
【図４】本発明の第３の実施の形態に係るフィルム収納ホルダー兼アルバムを説明する斜視図である。
【図５】同フィルム収納ホルダー兼アルバムの第１及び第２の収納部における収納状態を示す斜視図である。
【符号の説明】
１０：フィルム収納ホルダー兼アルバム、１１：カバーシート、１２：フィルム、１３：フィルム収納部、１４：連続写真群、１５：写真固定部、１６：谷折り線、１７：台紙部、１８：覆い部、１９：台紙部本体、２０：谷折り線、２１：覆い部本体、２２：第１の折り返し片、２３：第２の折り返し固定片、２４、２５：谷折り線、２６：折り返し部、２７：写真表示領域、２８：情報記載欄、２９：折り返し線、３０：最初の折り畳み部、３１：最後の折り畳み部、３２：フィルムケース、３３：フィルム収納ホルダー兼アルバム、３４：連続写真群、３５：最初の折り畳み部、３６：最後の折り畳み部、３７：折り畳み部、３８：折り返し線、３９：フィルム収納ホルダー兼アルバム、４０：透明カバーシート、４１：第１の挿入口、４２：フィルム、４３：フィルムケース、４４：第１の収納部、４５：第２の挿入口、４６：第２の収納部、４７：表紙部材、４８：連続写真群、４９：谷折り線、５０：カバーシート本体、５１、５２：折り返し部、５３：谷折り線、５４：事項記入欄、５５：貼付欄
【図１】
2004017481.tif 000003
【図２】
2004017481.tif 000004
【図３】
2004017481.tif 000005
【図４】
2004017481.tif 000006
【図５】
2004017481.tif 000007